(57)【特許請求の範囲】
【請求項１】
水平方向に間隔をおいて対向配置された土台間に設置されるユニットルーム本体を支持する、ユニットルーム用の支持装置であって、
前記ユニットルーム本体の底部に取り付けられる脚部と、
前記脚部に対して水平方向にずれた位置に配置され、前記土台間に掛け渡される、梁部と、
前記脚部と前記梁部とを接続し、前記脚部と前記梁部との間において、少なくとも一部分で鉛直方向に対して交わる方向に延在する、接続部と、
前記ユニットルーム本体の荷重を受けるように前記梁部に取り付けられた、補助脚部と、
を備え、
前記補助脚部は、当該補助脚部の下部が前記梁部及び前記接続部に取り付けられている、支持装置。
【請求項２】
前記補助脚部の上部に設けられ、前記ユニットルーム本体の底部と前記補助脚部との間に介在される、弾性体をさらに備えている、請求項１に記載の支持装置。
【請求項３】
前記接続部は、該接続部における複数個所で前記梁部に取り付けられている、請求項１又は２に記載の支持装置。
【請求項４】
前記ユニットルーム本体と、
請求項１〜３のいずれか一項に記載の支持装置と、
を備えた、ユニットルーム。
【発明の詳細な説明】
【技術分野】
【０００１】
この発明は、支持装置及びユニットルームに関するものである。
【背景技術】
【０００２】
従来、水平方向に間隔をおいて対向配置された土台間に設置されるユニットバスとして、浴槽及び床パネルの底面に一体的に固定され、ユニットバス本体の底部をなす、脚フレーム（架材）と、上部が脚フレームの所定箇所に取り付けられ、鉛直方向に延在する、脚部（ボルト）と、脚部の下部に取り付けられ、土台間に掛け渡される、複数の梁部（梁材）と、を備えたものがある（例えば、特許文献１）。
【先行技術文献】
【特許文献】
【０００３】
【特許文献１】特開2000-179170号公報
【発明の概要】
【発明が解決しようとする課題】
【０００４】
しかしながら、上述した従来のユニットバスでは、ユニットバスを設置する際に、例えば、土台の延在長さが想定していたものよりも短いがために、土台に載せられない梁部が生じる場合等において、ユニットバス本体に対する梁部の水平方向の位置の変更をすることができず、ユニットバスを設置できないことがあった。
一方、ユニットバスを設置する際に、ユニットバス本体に対する梁部の水平方向の位置変更を可能にするためには、例えば、ユニットバス本体の脚フレームにおける脚部の取り付け箇所を増設する手法が考えられる。しかし、この手法では、脚フレームを含むユニットバス本体を大量生産するにあたり、脚フレームにおける脚部の取り付け箇所を土台の長さに応じて都度変更することは、管理工数の増大等による多大なコスト増加が生じるおそれがあった。
なお、同様のことが、ユニットバス以外のユニットルーム（例えばシャワーユニット等）にもいえる。
【０００５】
この発明は、上述した課題を解決するためのものであり、ユニットルームを設置する際に、土台の延在長さや形状等に応じ、大きなコスト増を招くことなく、梁部をユニットルーム本体に対して所望の水平方向の位置に配置できる、支持装置及びユニットルームを、提供することを目的とするものである。
【課題を解決するための手段】
【０００６】
この発明の支持装置は、水平方向に間隔をおいて対向配置された土台間に設置されるユニットルーム本体を支持する、ユニットルーム用の支持装置であって、前記ユニットルーム本体の底部に取り付けられる脚部と、前記脚部に対して水平方向にずれた位置に配置され、前記土台間に掛け渡される、梁部と、前記脚部と前記梁部とを接続し、前記脚部と前記梁部との間において、少なくとも一部分で鉛直方向に対して交わる方向に延在する、接続部と、を備えている。
この発明の支持装置により、ユニットルームを設置する際に、土台の延在長さや形状等に応じ、大きなコスト増を招くことなく、梁部をユニットルーム本体に対して所望の水平方向の位置に配置できる。
【０００７】
この発明の支持装置は、前記ユニットルーム本体の荷重を受けるように前記梁部に取り付けられた、補助脚部をさらに備えていると、好適である。
この構成により、確実にユニットルーム本体の荷重を支持しつつ、より低コストで、梁部の水平方向の位置決めができる。
【０００８】
この発明の支持装置は、前記補助脚部の上部に設けられ、前記ユニットルーム本体の底部と前記補助脚部との間に介在される、弾性体をさらに備えていると、好適である。
この構成により、ユニットルーム設置後の使用における振動や騒音を抑制できる。
【０００９】
この発明の支持装置において、前記接続部は、該接続部における複数個所で前記梁部に取り付けられていると、好適である。
この構成により、ユニットルーム設置後の使用におけるユニットルーム本体と梁部との水平方向の相対的なずれを抑制することが出来る。
【００１０】
この発明のユニットルームは、前記ユニットルーム本体と、上記の支持装置と、を備えている。
この発明のユニットルームにより、ユニットルームを設置する際に、土台の延在長さや形状等に応じ、大きなコスト増を招くことなく、梁部をユニットルーム本体に対して所望の水平方向の位置に配置できる。
【発明の効果】
【００１１】
この発明によれば、ユニットルームを設置する際に、土台の延在長さや形状等に応じ、大きなコスト増を招くことなく、梁部をユニットルーム本体に対して所望の水平方向の位置に配置できる、支持装置及びユニットルームを、提供することができる。
【図面の簡単な説明】
【００１２】
【図１】この発明の支持装置及びユニットルームの一実施形態を示す斜視図である。
【図２】図１の要部を示す斜視図である。
【図３】図１の要部を別の角度から示す斜視図である。
【発明を実施するための形態】
【００１３】
以下に、図面を参照しつつ、この発明に係る支持装置及びユニットルームの実施形態を例示説明する。
【００１４】
図１〜図３は、本発明の支持装置及びユニットルームの一実施形態を示している。図１において符号１は、本実施形態のユニットルームを示しており、図２は、図１の破線で囲った部分を斜め下から観た場合を示しており、図３は、図１の破線で囲った部分を斜め上から観た場合を示している。
図１に示すように、本実施形態のユニットルーム１は、ユニットルーム本体１０と、ユニットルーム本体１０を下から支持する支持装置２０と、を備えている。ユニットルーム本体１０は、略箱状に構成されており、基盤３上に水平方向に間隔をおいて互いに平行となるように対向配置された一対の土台４間に、支持装置２０を介して設置されるものである。
【００１５】
本例のユニットルーム本体１０は、ユニットバス本体として構成されており、浴槽１０１と、浴室洗い場の床パネル１０２と、略鉛直方向に延在するとともに、浴槽１０１及び床パネル１０２どうしを一体的に連結するエプロン１０３と、を備えている。さらに、ユニットルーム本体１０は、破線で示す壁１０６、扉１０７及び天井１０８や、図示しない配管及び内装部品等も備えている。
【００１６】
ただし、ユニットルーム本体１０は、本例とは異なる任意のタイプのユニットバス本体として構成されてもよい。本例とは異なるタイプのユニットバス本体としては、例えば、浴槽１０１と床パネル１０２とエプロン１０３とが、互いに別体に構成されており、かつ、床パネル１０２が、床パネル１０２から浴槽１０１の下側にまで延長された防水パンと一体に構成されたものや、床パネル１０２及びエプロン１０３が一体であって、浴槽１０１が床パネル１０２及びエプロン１０３とは別体であって、これらが組み立てられたもの等がある。
また、ユニットルーム本体１０は、ユニットバス本体以外の任意のユニットルーム本体（例えばシャワーユニット本体等）として構成されてもよい。
【００１７】
ユニットルーム本体１０は、その底部に、ユニットルーム本体１０のほぼ全長にわたって延在する１つ又は複数（本例では２つ）の脚フレーム１０４を有している。本例において、２つの脚フレーム１０４は、互いに平行に水平方向に延在しており、それぞれ、断面がコ字型の金属板（例えば、亜鉛メッキ鋼板）から構成され、浴槽１０１及び床パネル１０２の底面にインサート成形等により一体的に形成されたナット部にボルト固定されている。
ただし、脚フレーム１０４は、本例とは異なる形状に形成されてもよく、また、金属以外の材料で構成されてもよい。
各脚フレーム１０４の底面には、複数（本例では３つ）の溶接ナット１０５が、脚フレーム１０４の延在方向に沿って互いから間隔を空けて、脚フレームに溶接されて設けられている。本例では、脚フレーム１０４及び溶接ナット１０５が、ユニットルーム本体１０の底部を構成している。本実施形態の支持装置２０は、ユニットルーム本体１０の底部に取り付けられる。ユニットルーム１の設置の際には、脚フレーム１０４の延在方向が、土台４の延在方向と略平行となるように、ユニットルーム１が配置される。
【００１８】
支持装置２０は、ユニットルーム本体１０の底部に取り付けられる脚部２０１と、土台４間に掛け渡される１つ又は複数（本例では３つ）の梁部２０２と、脚部２０１と梁部２０２とを接続する接続部２０３と、を備えている。
【００１９】
図２に示すように、本例において、脚部２０１は、ボルトから構成されており、そのねじ部側が上に向けられ、鉛直方向に延在した状態で、その上部が、脚フレーム１０４に設けられた溶接ナット１０５に取り付けられている。溶接ナット１０５と脚部２０１とは、溶接ナット１０５の下側で脚部２０１の周りに取り付けられたナット２１０によって下から締め付けられて固定されている。
【００２０】
図１に示すように、各梁部２０２は、脚フレーム１０４の延在方向に沿って互いから間隔を空けて配列されている。
本例において、梁部２０２は、脚フレーム１０４に対して下側で、脚フレーム１０４どうしがほぼ互いに対向する方向（すなわち、脚フレーム１０４の延在方向に対して略垂直な方向。図１の左右方向。）に延在する、中央水平部分２０２ａと、中央水平部分２０２ａの延在方向の両端からそれぞれ上方に延在する一対の側方鉛直部分２０２ｂと、側方鉛直部分２０２ｂの上端からそれぞれ中央水平部分２０２ａの延在方向における外側に向けて延出された一対の上端延出部分２０２ｃと、を有している。
中央水平部分２０２ａ、側方鉛直部分２０２ｂ、及び上端延出部分２０２ｃは、それぞれ断面がコ字型の金属板（例えば亜鉛メッキ鋼板）から構成されている。
ただし、梁部２０２は、本例とは異なる形状に形成されてもよく、また、金属以外の材料で構成されてもよい。
ユニットルーム１を設置する際、梁部２０２は、中央水平部分２０２ａ及びその両側の側方鉛直部分２０２ｂが土台４間に落とし込まれるとともに、上端延出部分２０２ｃが高さ調整部材２２２を介して土台４上に載せられた状態で、土台４間に掛け渡される。高さ調整部材２２２は、本例ではボルト及びナットから構成されており、土台４の上面に対する上端延出部分２０２ｃの高さ、ひいては、基盤３に対する中央水平部分２０２ａの高さを、調整できるように構成されている。
【００２１】
図１において、３つの梁部２０２のうち、真ん中及び一番奥の梁部２０２の中央水平部分２０２ａは、それぞれ、脚フレーム１０４に設けられた溶接ナット１０５の真下に配置され、溶接ナット１０５に取り付けられた脚部２０１の下部に取り付けられている。
【００２２】
一方、図１において一番手前の梁部２０２は、図２及び図３にも示すように、溶接ナット１０５に取り付けられた脚部２０１に対して水平方向（本例では、脚フレーム１０４の延在方向における内側。図１の奥側。）にずれた位置に、配置されており、その中央水平部分２０２ａが、脚部２０１の下部に、接続部２０３を介して接続されている。
【００２３】
本例の接続部２０３は、平坦で、平面形状が略長方形状の金属板（例えば亜鉛メッキ鋼板）から構成されており、略水平方向（より具体的には、ほぼ脚フレーム１０４の延在方向）に延在している。
図２及び図３に示すように、接続部２０３における脚フレーム１０４の延在方向外側（図の手前側）の端部は、溶接ナット１０５の真下に、脚部２０１を通すための孔（図示せず）を有しており、その孔に脚部２０１のねじ部が通されている。そして、接続部２０３における脚フレーム１０４の延在方向外側の端部は、接続部２０３の下側にある脚部２０１の頭部２０１ａと、接続部２０３の上側で脚部２０１に取り付けられたナット２１３とにより、上下から挟まれて固定されている。
一方、接続部２０３における脚フレーム１０４の延在方向内側（図の奥側）の端部は、梁部２０２の中央水平部分２０２ａの上に重ねられた状態で、中央水平部分２０２ａに取り付けられている。より具体的に、接続部２０３における脚フレーム１０４の延在方向内側の端部と、梁部２０２の中央水平部分２０２ａとは、ボルトから構成される補助脚部２０４及び追加取付部材２０７を通すための孔（図示せず）をそれぞれ有しており、それらの孔に、補助脚部２０４及び追加取付部材２０７のねじ部がそれぞれ通されている。補助脚部２０４は、頭部２０４ａを上に向けた状態で、追加取付部材２０７は、頭部２０７ａを下に向けた状態で、それぞれ鉛直方向に延在している。そして、接続部２０３における脚フレーム１０４の延在方向内側の端部は、梁部２０２の中央水平部分２０２ａとともに、補助脚部２０４の下部に取り付けられたナット２１２、２１４により、上下から挟まれて固定されているとともに、接続部２０３の下側にある追加取付部材２０７の頭部２０７ａと、接続部２０３の上側で追加取付部材２０７に取り付けられたナット２１５とにより、上下から挟まれて固定されている。
このようにして梁部２０２が、接続部２０３を介して、溶接ナット１０５に取り付けられた脚部２０１に接続されることにより、梁部２０２とユニットルーム本体１０との水平方向の相対位置が固定される。すなわち、梁部２０２と溶接ナット１０５とを接続する脚部２０１及び接続部２０３は、梁部２０２の水平方向の位置決め機能（所定の水平方向の位置に固定する機能。以下同じ。）を有するものである。
【００２４】
ただし、接続部２０３は、本例の構成を持つものに限られず、脚部２０１と梁部２０２との間において、該接続部２０３の少なくとも一部分で鉛直方向に対して交わる方向に延在して、脚部２０１と、脚部２０１に対して水平方向にずれた位置に配置された梁部２０２とを、互いに接続できるものである限り、任意の構成（形状及び材料）からなることができる。
【００２５】
なお、土台４の延在長さや配置等に依っては、必要に応じて、一番手前の梁部２０２の中央水平部分２０２ａも、本例における真ん中及び一番奥の梁部２０２と同様に、溶接ナット１０５の真下に配置して、接続部２０３を用いずに、脚部２０１の下部に直接取り付けることが可能である。
逆に、真ん中及び一番奥の梁部２０２も、それぞれ、本例における一番手前の梁部２０２と同様に、脚部２０１に対して水平方向にずれた位置に配置して、接続部２０３により脚部２０１と梁部２０２とを接続できるようにしてもよい。
【００２６】
上記の例に限らず、梁部２０２を、溶接ナット１０５に取り付けられた脚部２０１に対して、任意の水平方向（例えば、脚フレーム１０４の延在方向における外側（図１の手前側））にずれた位置に、配置した状態で、接続部２０３によって脚部２０１と梁部２０２とを接続できるようにしてもよい。
【００２７】
このように、本実施形態によれば、ユニットルーム１の設置の際に、必要に応じて接続部２０３を用いることにより、梁部２０２を、ユニットルーム本体１０に対して所望の水平方向の位置に配置できる。その際、脚部２０１に対する接続部２０３の水平方向における向きや接続部２０３の延在長さを調整することにより、ユニットルーム本体１０に対する梁部２０２の水平方向の位置を調整できる。
これにより、例えば図１の例のように、土台４の延在長さが短いがために、仮に各梁部２０２を脚部２０１と同じ水平方向位置（すなわち、溶接ナット１０５と同じ水平方向位置）に配置すると一番手前の梁部２０２を土台４上に載せることができない場合、接続部２０３を用いて一番手前の梁部２０２を脚部２０１よりも奥側（脚フレーム１０４の延在方向における内側）にずらして配置することにより、一番手前の梁部２０２も土台４上に載せることができるようになる。
また、梁部２０２の水平方向の位置決め機能を有する脚部２０１及び接続部２０３は、ユニットルーム本体１０の一部を構成するものではないため、ユニットルーム本体１０の構成を土台４の延在長さや形状等に応じて都度変更する必要無しに、ユニットルーム本体１０に対する梁部２０２の水平方向の位置を調整できる。このため、ユニットルーム本体１０を同一の仕様で大量生産できるので、例えば、ユニットルーム本体１０の生産時において、ユニットルーム本体１０の脚フレーム１０４における脚部２０１の取り付け箇所の位置（本例では、溶接ナット１０５の位置）を、事前に想定される土台４の延在長さに応じて都度変更する場合に比べて、コストを大幅に低減できる。
【００２８】
本例において、補助脚部２０４は、前述のように、その下部が梁部２０２及び接続部２０３に取り付けられているとともに、その上部に位置する頭部２０４ａが、脚フレーム１０４の底面に接触しており、これにより、ユニットルーム本体１０の荷重を受けるようにされている。
補助脚部２０４によってユニットルーム本体１０の荷重を受けるようにすることで、その分、接続部２０３や接続部２０３に接続された脚部２０１に掛かる荷重を大きく低減できるので、接続部２０３及び脚部２０１には、ユニットルーム本体１０の荷重を支えられる程度に大きな剛性を持たせる必要は無く、少なくとも梁部の位置決め機能を発揮するのに十分な剛性を持たせればよいので、接続部２０３及び脚部２０１をより軽量かつ安価な部材で構成できるようになる。このように、支持装置２０が補助脚部２０４を備えることにより、確実にユニットルーム本体１０の荷重を支持しつつ、より低コストで、梁部２０２の水平方向の位置決めができる。
なお、補助脚部２０４の下部は、少なくとも梁部２０２に取り付けられていればよく、接続部２０３に取り付けられている必要はない。その場合、補助脚部２０４とは別の締結具（ボルト及びナット等）を用いて、接続部２０３を梁部２０２に取り付けてもよい。
【００２９】
ただし、接続部２０３及び脚部２０１に充分な剛性を持たせて、ユニットルーム本体１０の荷重を十分に支持できるように構成する場合、補助脚部２０４は設けなくてもよい。
【００３０】
前述のように、本例では、接続部２０３を、梁部２０２に対して、補助脚部２０４及び追加取付部材２０７の各々により取り付けている。このように、接続部２０３を、梁部２０２に対して、該接続部２０３における複数個所で取り付けることにより、例えば該接続部２０３における１箇所で取り付ける場合に比べて、ユニットルーム本体１０の設置後の使用による、ユニットルーム本体１０に対する梁部２０２の水平方向の相対的なずれ（水平面内での回転等）を、効果的に防止できる。このように、追加取付部材２０７は、梁部２０２の回転止めの機能を有するものである。
追加取付部材２０７が、梁部２０２の回転止めの機能を発揮するためには、必ずしも接続部２０３に対して固定される必要はなく、例えば接続部２０３に孔が設けられている場合はその孔を貫通されていればよいし、あるいは、接続部２０３にフック状に構成された引っ掛け部が設けられている場合はその引っ掛け部に引っ掛けられていればよい。例えば、追加取付部材２０７を、梁部２０２の上面から上方へ延在するピン部材で構成して、接続部２０３に設けられた孔を貫通させるだけでも、追加取付部材２０７による梁部２０２の回転止め機能を発揮できる。
なお、追加取付部材２０７を用いずに、接続部２０３を、梁部２０２に対して、該接続部２０３における１箇所（補助脚部２０４による取付箇所。又は、補助脚部２０４を用いない場合は、別の締結具による取付箇所。）で取り付けてもよい。
【００３１】
図１に示す例では、各梁部２０２の延在方向両側で、それぞれ対応する側の側方鉛直部分２０２ｂどうしが、揺れ止め板２０６により連結されている。一対の揺れ止め板２０６は、それぞれ、平坦な金属板（例えば、溶融亜鉛メッキ鋼板）から構成されており、ユニットルーム本体１０のほぼ全長にわたって、脚フレーム１０４とほぼ平行に延在している。図３にも示すように、揺れ止め板２０６は、梁部２０２の中央水平部分２０２ａよりも上側で、梁部２０２の側方鉛直部分２０２ｂにおける、中央水平部分２０２ａの延在方向内側の面に、上下２箇所で、締結具（ボルト２２１及びナット２２０）により取り付けられている。揺れ止め板２０６により脚フレーム１０４の延在方向に沿って配列された各梁部２０２どうしを連結することにより、ユニットルーム１の設置後における梁部２０２の揺れをより効果的に抑制できる。
なお、図２及び図３に示すように、本例における揺れ止め板２０６は、一番手前の梁部２０２が接続部２０３を介さずに直接脚部２０１の下部に取り付けられる場合にも、その梁部２０２の側方鉛直部分２０２ｂと連結できるように、所定位置に、ボルト２２１を通すための孔２０６ａが形成されている。
ただし、揺れ止め板２０６を設けることは必須ではない。
【００３２】
図示は省略するが、支持装置２０は、補助脚部２０４の上部に、ユニットルーム本体１０の底部（より具体的には、脚フレーム１０４）と補助脚部２０４との間に介在される、弾性体をさらに備えていると、好適である。この場合、補助脚部２０４は、ユニットルーム本体１０の荷重を受けるように、弾性体を介して、脚フレーム１０４に間接的に接触される。このような弾性体の形状としては、例えば補助脚部２０４の上部（頭部２０４ａ）に被せられるキャップ状のものでもよいし、補助脚部２０４の上面のみを覆う平坦状のものでもよい。支持装置２０が上記のような弾性体を備えることにより、ユニットルーム１の設置後に使用により生じ得る振動を抑制でき、また、仮に弾性体を設けない場合に振動発生時に補助脚部２０４とユニットルーム本体１０の底部との間で生じ得る金属音等の騒音の発生を抑制できる。
【産業上の利用可能性】
【００３３】
本発明による支持装置及びユニットルームは、例えばユニットバスやシャワーユニット等の任意のユニットルームに利用できる。
【符号の説明】
【００３４】
１：ユニットルーム、  ３：基盤、  ４：土台、  １０：ユニットルーム本体、  ２０：支持装置、  １０１：浴槽、  １０２：床パネル、  １０３：エプロン、  １０４：脚フレーム（ユニットルーム本体の底部）、  １０５：溶接ナット（ユニットルーム本体の底部）、  １０６：壁、  １０７：扉、  １０８：天井、  ２０１：脚部、  ２０１ａ：脚部の頭部、  ２０２：梁部、  ２０２ａ：梁部の中央水平部分、  ２０２ｂ：梁部の側方鉛直部分、  ２０２ｃ：梁部の上端延出部分、  ２０３：接続部、  ２０４：補助脚部、  ２０４ａ：補助脚部の頭部、  ２０６：揺れ止め板、  ２０６ａ：孔、  ２０７：追加取付部材、  ２０７ａ：追加取付部材の頭部、  ２１０、２１２、２１３、２１４、２１５、２２０：ナット、  ２２１：ボルト、  ２２２：高さ調整部材
【図１】
0006497961.tif 000002
【図２】
0006497961.tif 000003
【図３】
0006497961.tif 000004